(57)【要約】【課題】滑り止め材をカバー枠に組み合わせて階段の踏面の端部に固定ねじをもって取り付ければ、滑り止め材はカバー枠から容易には外れず、また、固定ねじを外すことで、滑り止め材をカバー枠から容易に取り外すことができる階段用滑り止め部材を提供する。【解決手段】長孔４を有し、該長孔４の前後左右の対向側縁５ａ，５ｂ，６，６を辺に沿って所定幅に下側に折り曲げることにより裏面に凹部７が成形されているカバー枠２と、前記長孔４に嵌合される滑り止め部１０が所定の厚みで上部に突出して設けられ、前記滑り止め部１０は上面に凹凸による滑り止め模様１３が設けられるとともに、下部の周囲に前記凹部７に収納される耳部１１が延設されてなる滑り止め材３とを備える構成とした。【選択図】図１
2007321396.tif 000002
【特許請求の範囲】
【請求項１】
階段の踏面の端部に固定ねじをもって固定される階段用滑り止め部材であって、
中央部分に長孔を有し、該長孔の前後左右の対向側縁を辺に沿って所定幅に下側に折り曲げることにより裏面に凹部が成形されているカバー枠と、
前記長孔に嵌合される滑り止め部が所定の厚みで上部に突出して設けられ、前記滑り止め部は上面に凹凸による滑り止め模様が設けられるとともに、下部の周囲に前記凹部に収納される耳部が延設されてなる滑り止め材とを備えたことを特徴とする階段用滑り止め部材。
【請求項２】
前記滑り止め模様は上面に所定の間隔で複数の凸条が平行に設けられており、前記滑り止め部が前記長孔に嵌合した状態において、前記各凸条間に形成された凹部の底面は前記カバー枠の前記長孔の周面よりも上に位置して設けられている請求項１に記載の階段用滑り止め部材。
【請求項３】
前記滑り止め材は、前記滑り止め模様が前と中央と後とに分割されており、前記分割された前後の滑り止め模様のそれぞれを上面に有する前後の滑り止め側部が所定間隔離れて略平行に設けられているとともに、前記各滑り止め側部の下部の周囲に前記耳部が延設されてなる主滑り止め材と、前記分割された中央の滑り止め模様を上面に有し前記各滑り止め側部間に装着されて前記分割された滑り止め模様を完成させる補助滑り止め材とから構成されている請求項１又は２に記載の階段用滑り止め部材。
【請求項４】
前記カバー枠は前記長孔の前後左右の対向側縁の上面に複数の滑り止め用の突起が点在して設けられている請求項１〜３のいずれか１項に記載の階段用滑り止め部材。
【発明の詳細な説明】
【技術分野】
【０００１】
本発明は、階段の踏面の端部に設ける階段用滑り止め部材に係り、特に、視覚障害者や視力低下を持った人たちや、弱視の人が識別しやすい階段用滑り止め部材に関するものである。
【背景技術】
【０００２】
従来、屋内又は屋外に設置された階段の各踏面は、これを敷物で体裁よく覆うようにしており、またその敷物は、各踏面となるマットと、各踏面の縁部に設置される階段用滑り止め部材とで構成され、視覚障害者に触覚的手がかりを提供するとともに弱視の人たちにも視覚的に利用しやすいものとなっている。
【０００３】
この種の階段用滑り止め部材としては、合成樹脂を押し出し成型して形成される長尺の成型品を所定長さにカットして嵌合枠に嵌合した状態で階段の踏面の端部に取付けられるものがあるが、合成樹脂製の滑り止め部材は経時的収縮が激しいので、数年もしない間に端部に間隙が生じてしまう欠点がある。
【０００４】
近年、このような経時的収縮を著しく小さくした合成樹脂製の滑り止め部材が提案されるようになってきた。例えば、内部にガラス繊維を芯材として配置した階段用滑り止め部材として、階段の踏面の端部に固定ねじをもって固定される金台枠に嵌合される合成樹脂製の滑り止め本体と、この滑り止め本体に埋設されるガラス繊維製の収縮防止用芯糸とからなる階段用滑り止め部材が知られている。この階段用滑り止め部材は、合成樹脂製の滑り止め本体の内部にガラス繊維を芯材として配置することで、引っ張り強度を高めるとともに経時的収縮を著しく小さくしたものである。
【特許文献１】特開２００５−１５５１８５号公報
【０００５】
前記特許文献１に記載されている階段用滑り止め部材は、上部から金台枠に合成樹脂製の滑り止め本体を嵌合する構造であり、滑り止め本体が金台枠から外れないように金台枠に接着、又は強固に嵌合される等して取り付けられている。
【発明の開示】
【発明が解決しようとする課題】
【０００６】
階段用滑り止め部材は、靴で踏まれたり、傘や杖等で押されたりして滑り止め本体の上面が摩耗していくので、多年に亘って使用されると滑り止めとしての機能が失われてしまう。そのため摩耗状態に応じて一定の期間が経過したら新しいものに交換されている。しかしながら、前記特許文献１に記載されている階段用滑り止め部材は、滑り止め本体が金台枠から外れないように金台枠に接着、又は嵌合されて強固に取り付けられているので、ステップの踏面となるマットを損傷しないように取り外す作業は大変であり、また、金台枠から外れないように取り付ける作業は時間がかかるものであり改善が望まれていた。
【０００７】
本発明は、滑り止め材をカバー枠に組み合わせて階段の踏面の端部に固定ねじをもって取り付ければ、滑り止め材はカバー枠から容易には外れず、また、固定ねじを外すことで、滑り止め材をカバー枠から容易に取り外すことができる階段用滑り止め部材を提供することを目的とする。
【課題を解決するための手段】
【０００８】
本願の請求項１に記載の発明は、階段の踏面の端部に固定ねじをもって固定される階段用滑り止め部材であって、中央部分に長孔を有し、該長孔の前後左右の対向側縁を辺に沿って所定幅に下側に折り曲げることにより裏面に凹部が成形されているカバー枠と、前記長孔に嵌合される滑り止め部が所定の厚みで上部に突出して設けられ、前記滑り止め部は上面に凹凸による滑り止め模様が設けられるとともに、下部の周囲に前記凹部に収納される耳部が延設されてなる滑り止め材とを備えたことを特徴とする階段用滑り止め部材である。
【０００９】
また、請求項２に記載の発明は、前記滑り止め模様は上面に所定の間隔で複数の凸条が平行に設けられており、前記滑り止め部が前記長孔に嵌合した状態において、前記各凸条間に形成された凹部の底面は前記カバー枠の前記長孔の周面よりも上に位置して設けられている請求項１に記載の階段用滑り止め部材である。
【００１０】
また、請求項３に記載の発明は、前記滑り止め材は、前記滑り止め模様が前と中央と後とに分割されており、前記分割された前後の滑り止め模様のそれぞれを上面に有する前後の滑り止め側部が所定間隔離れて略平行に設けられているとともに、前記各滑り止め側部の下部の周囲に前記耳部が延設されてなる主滑り止め材と、前記分割された中央の滑り止め模様を上面に有し前記各滑り止め側部間に装着されて前記分割された滑り止め模様を完成させる補助滑り止め材とから構成されている請求項１又は２に記載の階段用滑り止め部材である。
【００１１】
また、請求項４に記載の発明は、前記カバー枠は前記長孔の前後左右の対向側縁の上面に複数の滑り止め用の突起が点在して設けられている請求項１〜３のいずれか１項に記載の階段用滑り止め部材である。
【発明の効果】
【００１２】
本発明は、滑り止め材の滑り止め部をカバー枠の長孔に嵌合して階段の踏面の端部に固定ねじをもって取り付ければ、滑り止め材はカバー枠から容易には外れず、また、固定ねじを外すことで、滑り止め材をカバー枠から容易に取り外すことができる。
【発明を実施するための最良の形態】
【００１３】
以下に本発明を図面の実施例に基づいて説明する。
【実施例１】
【００１４】
図１は本発明の実施例１の分解斜視図、図２、図３は実施例１の組立状態における長手方向に直交する断面図と、同組立状態における長手方向の中心に沿う断面図、図４は実施例１の使用例を示す斜視図、図５（ａ）は実施例１の組立状態における平面図、図５（ｂ）は同正面図、図５（ｃ）は同底面図、図５（ｄ）は同背面図、図５（ｅ）は同右側面図、図５（ｆ）は（ｂ）のＡ−Ａ断面図である。
【００１５】
階段用滑り止め部材１は、長尺なカバー枠２及び、主滑り止め材３ａと補助滑り止め材３ｂとが一体化された長尺な滑り止め材３とで構成されており、カバー枠２は金属製（図１の例ではステンレスを使用）で滑り止め材３はゴム製である。カバー枠２は、中央付近にカバー枠２と長手方向が同じになるように長孔４が設けられた四角環状である。カバー枠２の短手方向の前側の側縁５ａは、後側の側縁５ｂより幅が広くなっており、カバー枠２の短手方向の前後の対向側縁５ａ，５ｂは、それぞれ辺に沿って所定幅に下側に鈍角に折り曲げられてテーパー状に傾斜した法面５ｃ，５ｄが形成されている。上面２ａの短手方向の前側の側縁５ａには幅が広い法面５ｃが成形され、後側の側縁５ｂには法面５ｃより幅が狭い法面５ｄが成形されている。
【００１６】
また、カバー枠２の短手方向の左右の対向側縁６，６も同様に、それぞれ辺に沿って所定幅に下側に鈍角に折り曲げられてテーパー状に傾斜し、略同じ幅の法面６ａ，６ａが形成されていて、上面２ａは、平坦な四角環状である。これらの各側縁５ａ，５ｂ，６，６を折り曲げて４個の法面５ｃ，５ｄ，６ａ，６ａが成形されることにより、裏面に凹部７が成形されている。
【００１７】
カバー枠２の各側縁５ａ，５ｂ、６，６の上面には、複数の滑り止め用の突起８が点在して設けられている。また、カバー枠２において、幅の広い側縁５ａの法面５ｃには、辺に沿って所定の間隔で２個のネジ孔１２ａが設けられ、側縁６の上面２ａには、ネジ孔１２ｂ，１２ｂが対向して設けられている。
【００１８】
主滑り止め材３ａには、中央部分に所定の厚みに突出した前後の滑り止め側部１０ａ，１０ｂが所定間隔離れて略平行に設けられている。各滑り止め側部１０ａ，１０ｂの下部の周囲には所定の厚みに耳部１１が延設されている。耳部１１は、各滑り止め側部１０ａ，１０ｂをカバー枠２の長孔４に嵌合するときに、カバー枠２の凹部７に収納できるように、カバー枠２の法面５ｃに当接する主滑り止め材３ａの短手方向の前後の側面１１ａ，１１ｂに位置する耳部はテーパー状に傾斜した法面に成形されている。
【００１９】
また、各滑り止め側部１０ａ，１０ｂの上面には、１つの滑り止め模様１３を前と中央と後に分割した場合の前の滑り止め模様１３ａと後の滑り止め模様１３ｃがそれぞれ設けられている。
【００２０】
また、補助滑り止め材３ｂは、各滑り止め側部１０ａ，１０ｂ間の距離の幅を有し、長さと厚みが各滑り止め側部１０ａ，１０ｂと略同じに成形されている。そして上面には、１つの滑り止め模様１３から分割された中央の滑り止め模様１３ｂが設けられており、各滑り止め側部１０ａ，１０ｂの間の凹部に補助滑り止め材３ｂを挿着して、例えば接着材、両面テープ等により一体に接合すると滑り止め部１０を形成し、前記分割された滑り止め模様１３ａ，１３ｂ，１３ｃが連続配置されて、分割された滑り止め模様１３が完成するようになっている。各滑り止め側部１０ａ，１０ｂと補助滑り止め材３ｂとを一体に接合した滑り止め部１０は、カバー枠２の長孔４に嵌合可能な形状となっている。このように補助滑り止め材３ｂは、各滑り止め側部１０ａ，１０ｂ間の凹部に挿着して滑り止め部１０を形成する滑り止め中央部となっている。
【００２１】
各滑り止め側部１０ａ，１０ｂの上面の滑り止め模様１３ａ，１３ｃは、所定の間隔で複数の凸条１４が平行に成形されているものである。また、滑り止め材３の短手方向の前後左右の耳部１１には、各滑り止め側部１０ａ，１０ｂをカバー枠２の長孔４に嵌合した状態において、カバー枠２のネジ孔１２ａと合致するネジ孔１５ａ、及び、ネジ孔１２ｂと合致するネジ孔１５ｂが設けられている。
【００２２】
階段用滑り止め部材１は、主滑り止め材３ａの各滑り止め側部１０ａ，１０ｂに補助滑り止め材３ｂを一体に接合して主滑り止め材３ａと補助滑り止め材３ｂを一体にして滑り止め部１０を形成するとともに滑り止め材３を合成し、滑り止め部１０を長孔４に嵌合して滑り止め材３とカバー枠２を組み合わて構成されており、階段２０の踏面２０ａの先端部に固定ネジ１６により固定されている。
【００２３】
階段用滑り止め部材１は、滑り止め部１０が長孔４に嵌合した状態では、滑り止め部１０の上面の各凸条１４間に形成された凹部１７の底面１８は、カバー枠２の長孔４の上面２ａよりも上に位置して設けられているので、容易にホコリの除去ができるものである。
【００２４】
また、滑り止め材３が老朽化してきた場合には、２本の固定ネジ１６を外すだけで階段用滑り止め部材１を階段２０の踏面２０ａから取り外して、カバー枠２に嵌合されている滑り止め材３を取り外して新しい滑り止め材３とを容易に交換することが出来る。また、必要に応じて、主滑り止め材３ａに取り付けられている補助滑り止め材３ｂだけを交換することもできる。
【００２５】
また、実施例では、主滑り止め材と補助滑り止め材とを一体に接合して１つの滑り止め模様が完成する滑り止め部が分割された構成の滑り止め材の例を示した。このように分割された構成の滑り止め材を使用すれば、主滑り止め材と補助滑り止め材との色を例えば、一方を黄、他方を黒にすることで２色の表示ができる。なお、滑り止め材は滑り止め部が分割された構成に限定されるものではなく、耳部の中央に滑り止め模様が1つの滑り止め部で構成されている単一の滑り止め材を使用してもよい。
【００２６】
以上本発明を図面に実施例に基づいて説明したが、本発明は前記実施例に限定されるものではなく、特許請求の範囲に記載された構成を変更しない限り、どのようにでも実施することができる。
【図面の簡単な説明】
【００２７】
【図１】実施例１の分解斜視図である。
【図２】実施例１の組立状態における長手方向に直交する断面図である。
【図３】実施例１の組立状態における長手方向の中心に沿う断面図である。
【図４】実施例１の使用例を示す斜視図である。
【図５】（ａ）は実施例１の組立状態における平面図、（ｂ）は同正面図、（ｃ）は同底面図、（ｄ）は同背面図、（ｅ）は同右側面図、（ｆ）は（ｂ）のＡ−Ａ断面図である。
【符号の説明】
【００２８】
１  階段用滑り止め部材
２  カバー枠
２ａ  上面
３  滑り止め材
３ａ  主滑り止め材
３ｂ  補助滑り止め材
４  長孔
５ａ，５ｂ  前後の対向側縁
５ｃ，５ｄ，６ａ  法面
６  左右の対向側縁
７  凹部
８  滑り止め用の突起
１０  滑り止め部
１０ａ，１０ｂ  滑り止め側部
１１  耳部
１１ａ，１１ｂ  前後の側面
１２ａ，１２ｂ，１５ａ，１５ｂ  ネジ孔
１３  滑り止め模様  
１３ａ，１３ｂ，１３ｃ  分割された滑り止め模様
１４  凸条
１６  固定ネジ
１７  凹部
１８  底面
２０  階段
２０ａ  踏面
【図１】
2007321396.tif 000003
【図２】
2007321396.tif 000004
【図３】
2007321396.tif 000005
【図４】
2007321396.tif 000006
【図５】
2007321396.tif 000007